【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
３つ以上の側面に囲まれる内部領域をガードするセキュリティ装置であって、
材料部と、
複数の組合せ部材と、
該組合せ部材によって前記材料部を支持構造に締着する複数の締着部材であって、
前記締着部材の少なくとも１つが締結部材を含み、
前記締結部材が、工具を用いずに手で緩めるように構成され、前記締結部材を締緩す
る円形のつまみ部を含む、
複数の締着部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項２】
３つ以上の側面に囲まれる内部領域をガードするセキュリティ装置であって、
材料部と、
複数の組合せ部材と、
該組合せ部材によって前記材料部を支持構造に締着する複数の締着部材であって、
前記締着部材の少なくとも１つが締結部材を含み、
前記締結部材が、工具を用いて緩めるように構成される、
複数の締着部材と、
出入り手段と 
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項３】
前記工具はドリルである、請求項２に記載のセキュリティ装置。
【請求項４】
前記工具はアレンレンチである、請求項２に記載のセキュリティ装置。
【請求項５】
３つ以上の側面に囲まれる内部領域をガードするセキュリティ装置であって、
材料部と、
複数の組合せ部材と、
該組合せ部材によって前記材料部を支持構造に締着する複数の締着部材であって、
前記締着部材の少なくとも１つが、締結部材および、前記締着部材を前記構造に取り
付ける際に前記締着部材を保持するハンドル部分を含む、
複数の締着部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項６】
３つ以上の側面に囲まれる内部領域をガードするセキュリティ装置であって、
材料部と、
複数の組合せ部材と、
該組合せ部材によって前記材料部を支持構造に締着する複数の締着部材であって、
前記締着部材の少なくとも１つが前記構造の縁部を掴むフック状部分を含む
複数の締着部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項７】
３つ以上の側面に囲まれる内部領域をガードするセキュリティ装置であって、
材料部と、
複数の組合せ部材と、
該組合せ部材によって前記材料部を支持構造に締着する複数の締着部材であって、
前記締着部材の少なくとも１つが、フック状部分と協働して前記支持構造の縁部を保
持する締結部材を含む、
複数の締着部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項８】
３つ以上の側面に囲まれる内部領域をガードするセキュリティ装置であって、
材料部と、
複数の組合せ部材と、
該組合せ部材によって前記材料部を支持構造に締着する複数の締着部材と、
前記材料部の境界部にあり、前記材料部の前記境界部から選択的に取り付け可能である
、複数の吊り下げ部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項９】
３つ以上の側面に囲まれる内部領域をガードするセキュリティ装置であって、
材料部と、
複数の組合せ部材と、
該組合せ部材によって前記材料部を支持構造に締着する複数の締着部材と、
前記材料部の境界部にある複数の吊り下げ部材であって、
前記吊り下げ部材は、端部を有する突出部を含み、前記端部は、持ち上げ器具に取り
外し可能に係合されるようになっている、
複数の吊り下げ部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項１０】
前記吊り上げ具はポールを含む、請求項９に記載のセキュリティ装置。
【請求項１１】
３つ以上の側面に囲まれる内部領域をガードするセキュリティ装置であって、
材料部と、
グロメットを含む、複数の組合せ部材と、
該組合せ部材によって前記材料部を支持構造に締着する複数の締着部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項１２】
３つ以上の側面に囲まれる内部領域をガードするセキュリティ装置であって、
材料部と、
リングを含む、複数の組合せ部材と、
該組合せ部材によって前記材料部を支持構造に締着する複数の締着部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項１３】
３つ以上の側面に囲まれる内部領域をガードするセキュリティ装置であって、
材料部と、
リベットを含む、複数の組合せ部材と、
該組合せ部材によって前記材料部を支持構造に締着する複数の締着部材と、
出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【請求項１４】
３つ以上の側面に囲まれる内部領域をガードするセキュリティ装置であって、
材料部と、
複数の組合せ部材と、
該組合せ部材によって前記材料部を支持構造に締着する複数の締着部材と、
ベルトによって固定可能である出入り手段と
を備え、
前記組合せ部材は前記材料部に接続され、
前記複数の締着部材はそれぞれ、前記材料部とともに前記構造に取り付けられると、前
記材料部の片面のみから着脱を可能にするように、前記構造に取り付けられるように構成
される、３つ以上の側面に囲まれる内部領域をガードするセキュリティ装置。
【手続補正２】
【補正対象書類名】明細書
【補正対象項目名】発明の名称
【補正方法】変更
【補正の内容】
【発明の名称】３つ以上の側面に囲まれる内部領域をガードするセキュリティ装置